(57)【要約】【課題】強風雨時に障子よりも室内側に浸入した雨水等を室外側に排水できるし、その雨水等の排水のために開口部の上下寸法が小さくなることがない改装サッシとする。【解決手段】既設縦枠１３と新設縦枠２３との間に縦空間部４が形成され、この新設縦枠２３に縦空間部４を障子５よりも室内側空間に開口する排水用開口部３０を形成し、この排水用開口部３０の下部は新設下枠２２の雨水溜め部３１と連続し、かつ上部は雨水溜め部３１に溜まった雨水等の最高水位よりも上方に位置し、前記縦空間部４を既設下枠１２と新設下枠２２との間の下横空間部３に連通し、その下横空間部３を排水孔３２で室外側に開口した改装サッシで、その雨水溜め部３１に溜まった雨水等を排水用開口部３０、縦空間部４、下横空間部３を通り排水孔３２より室外側に排水できる。【選択図】図３
2005282047.tif 000002
【特許請求の範囲】
【請求項１】
既設上枠と既設下枠と左右の既設縦枠を方形枠組みした既設サッシ枠内に、新設上枠と新設下枠と左右の新設縦枠を方形枠組みした新設サッシ枠が取付けられ、前記既設下枠と新設下枠との間に下横空間部を有すると共に、前記既設縦枠と新設縦枠との間に縦空間部を有し、
前記新設サッシ枠に障子が開閉自在に装着された改装サッシであって、
前記新設縦枠に、前記縦空間部を改装サッシにおける障子より室内側空間に開口する排水用開口部が形成され、
この排水用開口部の下部は、前記新設下枠の上面における障子よりも室内側部分の雨水溜め部と連続し、かつその上部は前記雨水溜め部に溜った雨水等の最高水位よりも上方に位置し、
前記縦空間部を下横空間部と連通し、その下横空間部を排水孔で室外側に開口したことを特徴とする改装サッシ。
【請求項２】
新設下枠の上面にカバー体を設け、このカバー体で排水用開口部を覆うと共に、このカバー体に排水用開口部の上部を室内側空間に連通する空気抜き孔部を形成した請求項１記載の改装サッシ。
【発明の詳細な説明】
【技術分野】
【０００１】
本発明は、建物躯体に残存した既設サッシ枠に新設サッシ枠を取付け、その新設サッシ枠に障子を開閉自在に装着した改装サッシ、詳しくは新設サッシ枠と障子との間の水密部から浸入した雨水等を室外側に排水する構造に関する。
【背景技術】
【０００２】
特許文献１に改装サッシが開示されている。
この改装サッシは、建物躯体に残存した既設サッシ枠内に新設サッシ枠を取付け、この新設サッシ枠に障子を開閉自在に装着したものである。
【０００３】
【特許文献１】特開２００３−３２８６５４号公報
【発明の開示】
【発明が解決しようとする課題】
【０００４】
前述した従来の改装サッシにおいては、その新設サッシ枠と障子との間を水密材によって水密して障子よりも室内側に雨水等が浸入しないようにしているが、強風雨時に水密部を通って雨水等が障子よりも室内側に浸入することがある。
この室内側に浸入した雨水等は新設サッシ枠の下枠上面に溜り、その水位が新設サッシ枠、又は既設サッシ枠の高い方の下枠室内側部よりも高くなると室内側に流れるので、その雨水等を室外側に排水する必要がある。
例えば、新設サッシ枠の下枠（つまり、新設下枠）を中空部を有する形状とし、この中空部を通して雨水等を室外側に排水することが考えられる。
しかしながら、前述した従来の改装サッシは既設サッシ枠内に新設サッシ枠が取付けてあるので、その新設サッシ枠の上下寸法が小さく、前述のように新設下枠を中空部を有する形状とすると新設サッシ枠の上下寸法がより一層小さくなり、改装サッシの開口部上下寸法が小さくなってしまうので好ましくない。
【０００５】
本発明の目的は、新設下枠の上面における障子よりも室内側に浸入した雨水等を室外側に排水できるし、その雨水等の排水のために開口部の上下寸法が小さくなることがない改装サッシを提供することである。
【課題を解決するための手段】
【０００６】
本発明は、既設上枠と既設下枠と左右の既設縦枠を方形枠組みした既設サッシ枠内に、新設上枠と新設下枠と左右の新設縦枠を方形枠組みした新設サッシ枠が取付けられ、前記既設下枠と新設下枠との間に下横空間部を有すると共に、前記既設縦枠と新設縦枠との間に縦空間部を有し、
前記新設サッシ枠に障子が開閉自在に装着された改装サッシであって、
前記新設縦枠に、前記縦空間部を改装サッシにおける障子より室内側空間に開口する排水用開口部が形成され、
この排水用開口部の下部は、前記新設下枠の上面における障子よりも室内側部分の雨水溜め部と連続し、かつその上部は前記雨水溜め部に溜った雨水等の最高水位よりも上方に位置し、
前記縦空間部を下横空間部と連通し、その下横空間部を排水孔で室外側に開口したことを特徴とする改装サッシである。
【０００７】
前述の既設サッシにおいては、新設下枠の上面にカバー体を設け、このカバー体で排水用開口部を覆うと共に、このカバー体に排水用開口部の上部を室内側空間に連通する空気抜き孔部を形成することが好ましい。
このようにすれば、排水用開口部がカバー体で見えないから見栄えが良い。
また、縦空間部の気圧が空気抜き孔部から直ちに室内側空間に逃げるので、雨水溜め部に溜った雨水等が強風雨時に室内側にしぶくことがより低減する。
【発明の効果】
【０００８】
本発明によれば、強風雨時に新設下枠の上面における障子よりも室内側に浸入した雨水等は、排水用開口部の下部から縦空間部、下横空間部を通って排水孔から室外側に排水される。
よって、新設下枠を中空部を有する形状とする必要がなく、雨水等の排水のために開口部の上下寸法が小さくなることがない。
また、強風雨時に縦空間部の気圧が高くなった場合には、その気圧が排水用開口部の上部から改装サッシにおける障子よりも室内側空間に逃げるので、前述の浸入し雨水溜め部に溜った雨水等が室内側にしぶきにくい。
また、浸入した雨水等を排水する排水用開口部を利用して縦空間部の気圧を室内側空間に逃がすので、排水のための加工個所が少なく、加工作業が簡単で、短時間に加工できるから、製作コストの安い改装サッシである。
【発明を実施するための最良の形態】
【０００９】
図１と図２に示すように、建物躯体１のサッシ取付開口部２に既設サッシ枠１０が取付けてある。
この既設サッシ枠１０は既設上枠１１と既設下枠１２と左右の既設縦枠１３を方形枠組みしてある。
前記既設サッシ枠１０内に新設サッシ枠２０が取付けてある。
この新設サッシ枠２０は新設上枠２１と新設下枠２２と左右の新設縦枠２３を方形枠組みしてある。
前記既設上枠１１に新設上枠２１が取付けてある。
前記既設下枠１２に新設下枠２２が取付けられ、その既設下枠１２の上面と新設下枠２２の下面の間で下横空間部３を構成している。
前記既設縦枠１３に新設縦枠２３が取付けられ、その既設縦枠１３の内面と新設縦枠２３の外面の間で縦空間部４を構成している。
この縦空間部４と下横空間部３は連通している。  
【００１０】
前記新設サッシ枠２０内に障子５が開閉自在に装着され、改装サッシを構成している。
この障子５と新設サッシ枠２０との間が水密材で水密され、障子５よりも室内側に室外側から雨水等が浸入しないようにしてある。
このようにしても、強風雨時に前述の水密部を通って雨水等が障子５よりも室内側に浸入することがあり、その室内側に浸入した雨水等は新設下枠２２の上面２２ａにおける障子５よりも室内側部分に溜る。
【００１１】
この実施の形態では、内障子５ａと外障子５ｂを備えた引き違いサッシとしてある。そして、内障子５ａ、外障子５ｂを構成する上框６と新設上枠２１、下框７と新設下枠２２、戸当り框８と新設縦枠２３の間がそれぞれ気密材９で水密され、図示しない召合せ框相互が召合せ気密材で水密されて、前記内障子５ａ、外障子５ｂよりも室内側に雨水等が浸入しないようにしてある。
このようにしても、強風雨時に水密部を通して内・外障子５ａ，５ｂよりも室内側に雨水等が浸入することがあり、その雨水等は新設下枠２２の上面２２ａにおける外障子５ｂと対向した部分に溜る。
なお、サッシは引き違いサッシに限ることはなく、片引きサッシ、三枚建てサッシ、外開きサッシ、内開きサッシ、すべり出しサッシ等でも良いことは勿論である。
【００１２】
前記縦空間部４は新設縦枠２３に形成した排水用開口部３０で前記改装サッシにおける障子５よりも室内側空間Ａに開口している。
この排水用開口部３０は図３と図４に示すように、前記新設下枠２２の上面２２ａにおける浸入した雨水等が溜る雨水溜め部３１と室内外側方向に同一である。
そして、排水用開口部３０の下開口縁３０ａは前記雨水溜め部３１における新設下枠２２の上面２２ａと同一、又は高く、かつその雨水溜め部３１に溜った雨水等の最大水位Ｈよりも低い位置で、この排水用開口部３０の下部が雨水溜め部３１と連続し、その雨水溜め部３１に溜った雨水等を縦空間部４に排水する雨水排水部である。前記最大水位Ｈは図３、図４に示すように新設下枠２２の室内側立上り部２２ｂの高さで決定される。つまり、雨水溜め部３１に溜った雨水は室内側立上り部２２ｂを越えて室内側に流入するので、その水位は室内側立上り部２２ｂ以上にはならない。
前記排水用開口部３０の上開口縁３０ｂは最大水位Ｈよりも高い位置で、その排水用開口部３０の上部が、縦空間部４内の気圧（空気圧）を前述の室内側空間Ａに逃がす空気抜き部である。
前記縦空間部４は下横空間部３に連通し、その下横空間部３は排水孔３２で室外側に開口連通している。
この実施の形態では、新設下枠２２に新設水切り２４が設けてあるので、その新設水切り２４に排水孔２５を形成し、この排水孔２５から排水されるようにしてある。
【００１３】
このようであるから、強風雨時に障子５の室内側に浸入した雨水等は新設下枠２２の上面２２ａにおける雨水溜め部３１に溜る。
この雨水溜め部３１に溜った雨水等は排水用開口部３０の下部から縦空間部４に流出し、その縦空間部４から下横空間部３を通って排水孔３２，２５から室外側は排水される。
したがって、新設枠２２を中空部を有する形状とせずに雨水等を排水でき、改装サッシの開口部の上下寸法が雨水等の排水のために小さくなることがない。
【００１４】
また、強風雨時に縦空間部４の気圧が高まっても、その気圧を直ちに排水用開口部３０の上部から前述の室内側空間Ａに逃がすので、その縦空間部４の気圧で雨水溜め部３１に溜った雨水が室内側にしぶきにくい。
【００１５】
この実施の形態では、外障子５ｂの戸当り框８が当接する左右一方の新設縦枠２３に排水用開口部３０が形成してある。
前記新設下枠２２の上面２２ａにおける外障子５ｂよりも室内側部に雨水が溜り、その雨水が排水用開口部３０から縦空間部４に流出する。
【００１６】
前記排水用開口部３０はカバー体４０で覆われている。
このカバー体４０は、新設下枠２２の上面２２ａにおける雨水溜め部３１を形成する部分に、新設縦枠２３に接するように取付けてあり、前記排水用開口部３０を覆って目視されないようにしてある。
前記カバー体４０の上面４０ａには空気抜き孔部４１が形成され、この空気抜き孔部４１は前述の最大水位Ｈよりも高い位置で、排水用開口部３０の上部（空気抜き部）を室内側空間Ａに連通している。
これによって、縦空間部４内の気圧が排水用開口部３０の上部から空気抜き孔部４１を通って室内側空間Ａに逃げるので、雨水溜め部３１に溜った雨水等が室内側にしぶくことがより低減する。
【００１７】
前記カバー体４０の形状を説明するが、これに限ることはない。
上面板４２と一端板４３と室内側縦板４４と中間縦板４５で下面と他端面と室外側面が開口したほぼ箱形状で、その上面板４２の新設縦枠２３の内面に接する端面が切欠きされ、その切欠部４２ａと新設縦枠２３の内面によって前述の空気抜き孔部４１を形成している。
このようであるから、縦空間部４内の気圧は、その新設縦枠２３の内面に沿って室内側空間Ａに逃げるので、前述の雨水溜め部３１に溜った雨水等が室内側にしぶくことがより一層低減する。
【００１８】
前記上面板４２は階段形状に折り曲げてあり、その高部４２ｂが新設縦枠２３の内面における排水用開口３０よりも上方位置に接し、低部４２ｃが最大水位Ｈとほぼ同一高さである。
前記上面板４２の高部４２ｂの室外寄りには室外側縦板４６が設けてある。
【００１９】
また、上面板４２の高部４２ｂと対向した部分の室内側部には底板４７があり、この底板４７には後述する新設下枠２２の室内側レールが嵌合する溝４８が形成されている。前記一端板４３にも同じ溝が形成されている。
そして、この溝４８を室内側レールに嵌合してカバー体４０を取付ける。
なお、この高部４２ｂに孔を形成して空気抜き孔部４１としても良い。
前記内障子５ａを開放するとカバー体４０の一端板４３に当接して内障子５ａの召合せ框が一方の新設縦枠２３の内面に衝突しないようにしてある。
つまり、カバー体４０はクレセントストッパーを兼用している。
【００２０】
次に、各既設枠に各新設枠を取付ける一例を説明するが、これに限ることはない。
前記既設上枠１１と新設上枠２１は、その既設上枠１１に下地材５０を取付け、この下地材５０にスペーサ５１を介して新設上枠２１を接すると共に、ビス５２で固着して取付けてある。
そして、既設上枠１１と新設上枠２１の室内側部が保持部材５３で連結してある。
前記既設縦枠１３と新設縦枠２３が同様にして取付けてある。
【００２１】
前記既設下枠１２の室内側のレール１２ａに補助取付け部材５４をビス５５で固着し、この補助取付け部材５４に新設下枠２２がビス５６で固着して取付けてある。室外側のレール１２ｂは折り曲げてある。室外側のレール１２ｂを切断して除去しても良い。
【００２２】
この新設下枠２２は室内側レール５７と室外側レール５８を備え、その室内側レール５７に沿って内障子５ａが走行し、室外側レール５８に沿って外障子５ｂが走行する。
前記新設下枠２２は、その室内側レール５７と室外側レール５８との間に横向片５９を備え、この横向片５９に水密材９が装着され、その横向片５９の上面が前述の新設下枠２２の上面２２ａである。
この横向片５９に前述のカバー体４０が室内側レール５７を跨ぐようにして取付けてある。
【図面の簡単な説明】
【００２３】
【図１】改装サッシの縦断面図である。
【図２】改装サッシの横断面図である。
【図３】図２のＢ−Ｂ拡大断面図である。
【図４】図２のＣ−Ｃ拡大断面図である。
【図５】縦枠と下枠の排水用開口部近くのカバー体を外した状態の斜視図である。
【図６】カバー体の斜視図である。
【符号の説明】
【００２４】
１…建物躯体、２…サッシ取付開口部、３…下横空間部、４…縦空間部、５…障子、５ａ…内障子、５ｂ…外障子、１０…既設サッシ枠、１１…既設上枠、１２…既設下枠、１３…既設縦枠、２０…新設サッシ枠、２１…新設上枠、２２…新設下枠、２３…新設縦枠、３０…排水用開口部、３１…雨水溜め部、３２…排水孔、４０…カバー体、４１…空気抜き孔部、Ａ…室内側空間。
【図１】
2005282047.tif 000003
【図２】
2005282047.tif 000004
【図３】
2005282047.tif 000005
【図４】
2005282047.tif 000006
【図５】
2005282047.tif 000007
【図６】
2005282047.tif 000008